【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
内側布帛層と外側布帛層とを有する成形可能な身体領域と接触する身体接触部分を含み、
前記内側布帛層が第１のＸ−Ｘ’軸および第１のＹ−Ｙ’軸を画定し、前記外側布帛層が第２のＸ−Ｘ’軸および第２のＹ−Ｙ’軸を画定し、前記内側布帛層および外側布帛層は、前記内側布帛層の前記第１のＸ−Ｘ’軸が、前記外側布帛層の前記第２のＸ−Ｘ’軸に対して第１の角度θ１をなすように配向されており、
前記内側布帛層および前記外側布帛層が一緒になって、下式
【数１】
2009511764.tif 000001
により定義される変動係数（Ｓ）を有する各布帛層に対してヒステリシス値を有する材料を提供することを特徴とする体型補整衣類。
【請求項２】
内側布帛層と外側布帛層とを含み、
前記内側布帛層が第１のＸ−Ｘ’軸および第１のＹ−Ｙ’軸を画定し、前記外側布帛層が第２のＸ−Ｘ’軸および第２のＹ−Ｙ’軸を画定し、前記内側布帛層および外側布帛層は、前記内側布帛層の前記第１のＸ−Ｘ’軸が、前記外側布帛層の前記第２のＸ−Ｘ’軸に対して第１の角度θ１をなすように配向されており、
前記内側布帛層および前記外側布帛層が一緒になって、下式
【数２】
2009511764.tif 000002
により定義される変動係数（Ｓ）を有する各布帛層に対してヒステリシス値を有する材料を提供することを特徴とする少なくとも２層を有する多層布帛。
【請求項３】
体型補整部分を含み、
前記体型補整部分が、内側層と外側層とを有する多層布帛を含み、
前記内側布帛層が第１のＸ−Ｘ’軸および第１のＹ−Ｙ’軸を画定し、前記外側布帛層が第２のＸ−Ｘ’軸および第２のＹ−Ｙ’軸を画定し、前記内側布帛層および外側布帛層は、前記内側布帛層の前記第１のＸ−Ｘ’軸が、前記外側布帛層の前記第２のＸ−Ｘ’軸に対して第１の角度θ１をなすように配向されており、
前記内側布帛層および前記外側布帛層がそれぞれ弾性布を含み、それぞれ多方向弾性を提供することを特徴とする衣類。
【手続補正２】
【補正対象書類名】明細書
【補正対象項目名】００８３
【補正方法】変更
【補正の内容】
【００８３】
本発明の好ましい実施形態と現在考えられているものについて記載してきたが、当業者であれば、本発明の趣旨から逸脱することなく変形および変更を行ってもよく、かかる変形および変更は全て、本発明の真の範囲内に入るものであることが分かるであろう。
以下に、本発明の好ましい態様を示す。
１．  内側布帛層と外側布帛層とを有する成形可能な身体領域と接触する身体接触部分を含み、
前記内側布帛層が第１のＸ−Ｘ’軸および第１のＹ−Ｙ’軸を画定し、前記外側布帛層が第２のＸ−Ｘ’軸および第２のＹ−Ｙ’軸を画定し、前記内側布帛層および外側布帛層は、前記内側布帛層の前記第１のＸ−Ｘ’軸が、前記外側布帛層の前記第２のＸ−Ｘ’軸に対して第１の角度θ１をなすように配向されており、
前記内側布帛層および前記外側布帛層が一緒になって、下式
【数３】
2009511764.tif 000003
により定義される変動係数（Ｓ）を有する各布帛層に対してヒステリシス値を有する材料を提供することを特徴とする体型補整衣類。
２．  前記衣類がブラジャーであることを特徴とする１．に記載の衣類。
３．  前記身体接触部分が乳房受けカップであることを特徴とする１．に記載の衣類。
４．  前記第１の角度θ１が１５°から１６５°まで変動することを特徴とする１．に記載の衣類。
５．  前記内側布帛層の前記第１のＸ−Ｘ’軸が、前記衣類により画定される水平軸から第２の角度θ２をなすように、前記内側布帛層および前記外側布帛層が配向されており、前記第２の角度θ２が０から１８０°まで変動することを特徴とする１．に記載の衣類。
６．  前記内側布帛層および前記外側布帛層が、サーキュラーニット、トリコットワープニット、ラッセルワープニット、レース、フラットニット、織布および不織布を含むことを特徴とする１．に記載の衣類。
７．  前記内側布帛層および前記外側布帛層がそれぞれコポリエステル系スパンデックスを含むことを特徴とする１．に記載の衣類。
８．  前記内側布帛層および前記外側布帛層が成形されていることを特徴とする１．に記載の衣類。
９．  前記ブラジャーが一対のカップを有し、各カップがフル、ハーフまたは一部被覆タイプのうちの１つであることを特徴とする２．に記載の衣類。
１０．  前記内側布帛層が前記外側布帛層に接合されていることを特徴とする９．に記載の衣類。
１１．  前記衣類が、
左カップと、
左ウィング部と、
左ショルダストラップと、
ブリッジと、
右カップと、
右ウィング部と、
右ショルダストラップと、
留め具と、
相手留め具またはフックバンドとを含み、
前記左カップの一端は前記左ウィング部に、他端は前記ブリッジの一端に取り付けられており、
前記左ショルダストラップの一端は前記左ウィング部分の遠心端に、他端は前記左カップの上部に接続されており、
前記右カップの一端は前記右ウィング部に、他端は前記ブリッジの一端に取り付けられており、
前記右ショルダストラップの一端は前記右ウィング部の遠心端に、他端は前記右カップの上部に接続されており、
前記留め具が前記右ウィング部の前記遠心端に接続されており、
前記相手留め具が前記左ウィング部の前記遠心端に接続されていることを特徴とする１０．に記載の衣類。
１２．  前記右カップおよび前記左カップにより画定されている一対のカップと、前記右ウィング部および前記左ウィング部により画定されている一対のウィング部とのうち少なくとも１つに取り付けられたシースと、前記シース内に含まれるアンダーワイヤーとをさらに含むことを特徴とする１１．に記載の衣類。
１３．  前記ブラジャーが、バンドのないアンダーワイヤー、バンドのあるアンダーワイヤー、隠しアンダーワイヤー、ハーフカップアンダーワイヤー、ソフトカップ不可視サポートおよび三角ソフトカップミニマルブラのうちの少なくとも１つであることを特徴とする１２．に記載の衣類。
１４．  前記カップがそれぞれ２〜５層の布帛を含むことを特徴とする９．に記載の衣類。
１５．  前記成形可能な身体領域が、乳房、太もも、臀部、腹部および鼠径部からなる群より選択されることを特徴とする１．に記載の衣類。
１６．  前記身体接触部分は、弾性繊維と１枚または複数枚の中間層とをそれぞれ有する布帛の２枚以上の層を含むことを特徴とする１．に記載の衣類。
１７．  前記１枚または複数枚の中間層が、弾性繊維を有する層間に配置されていることを特徴とする１６．に記載の衣類。
１８．  前記１枚または複数枚の中間層が、布帛、フィルム、ファイバーフィル、発泡体、不織布およびこれらの組み合わせからなる群より選択される組成物を含むことを特徴とする１６．に記載の衣類。
１９．  前記衣類が、アクティブウェア、スポーツウェア、靴下、包帯および肌にじかに着ける衣類からなる群より選択されることを特徴とする１．に記載の衣類。
２０．  内側布帛層と外側布帛層とを含み、
前記内側布帛層が第１のＸ−Ｘ’軸および第１のＹ−Ｙ’軸を画定し、前記外側布帛層が第２のＸ−Ｘ’軸および第２のＹ−Ｙ’軸を画定し、前記内側布帛層および外側布帛層は、前記内側布帛層の前記第１のＸ−Ｘ’軸が、前記外側布帛層の前記第２のＸ−Ｘ’軸に対して第１の角度θ１をなすように配向されており、
前記内側布帛層および前記外側布帛層が一緒になって、下式
【数４】
2009511764.tif 000004
により定義される変動係数（Ｓ）を有する各布帛層に対してヒステリシス値を有する材料を提供することを特徴とする少なくとも２層を有する多層布帛。
２１．  体型補整部分を含み、
前記体型補整部分が、内側層と外側層とを有する多層布帛を含み、
前記内側布帛層が第１のＸ−Ｘ’軸および第１のＹ−Ｙ’軸を画定し、前記外側布帛層が第２のＸ−Ｘ’軸および第２のＹ−Ｙ’軸を画定し、前記内側布帛層および外側布帛層は、前記内側布帛層の前記第１のＸ−Ｘ’軸が、前記外側布帛層の前記第２のＸ−Ｘ’軸に対して第１の角度θ１をなすように配向されており、
前記内側布帛層および前記外側布帛層がそれぞれ弾性布を含み、それぞれ多方向弾性を提供することを特徴とする衣類。